【事件の表示】
　特願２００３−２９８５６０「パチンコ遊技機及び入賞装置」拒絶査定不服審判事件〔平成１７年　３月１７日出願公開、特開２００５−　６５９２６〕について、次のとおり審決する。
【結　論】
　本件審判の請求は、成り立たない。
【理　由】
第一．手続の経緯　
　本願は、平成１５年８月２２日の出願であって、拒絶理由通知に対応して平成１９年３月６日に手続補正書が提出され、その後なされた拒絶査定に対し、同年５月１６日に拒絶査定不服審判が請求されるとともに、同年６月６日に手続補正がなされたものである。　
　また、当審において、平成２０年１２月３日付けで審査官による前置報告書の内容を添付して審尋を行い、請求人から平成２１年２月４日に回答書が提出されている。　
　　
第二．平成１９年６月６日付の手続補正書についての補正却下の決定　
　　
［補正却下の決定の結論］　
　　平成１９年６月６日付の手続補正を却下する。　
　　
［理由］　
１．補正後の本願発明　
　本件補正により、特許請求の範囲の請求項１（以下「本願補正発明」という。）は以下のように補正された。　
「遊技盤上の遊技領域に配置され、図柄を変動表示する図柄変動表示装置と、該図柄変動表示装置の変動図柄が予め決められた図柄に揃って停止したときに開放される入賞装置と、を備えたパチンコ遊技機において、
　前記入賞装置は縦に細長く形成されると共に、遊技領域内の左側または右側の端部に沿って配設され、該入賞装置内には特定入賞口が形成されると共に、遊技球を該特定入賞口に導入するか否かを振り分ける振分け通路が形成され、遊技球を停留させて該特定入賞口への入賞の可能性を高くする複数の停留部が該振分け通路に直階段状に配設され、該振分け通路は該停留部に遊技球の停留がない場合でも該特定入賞口への入賞が可能となるように形成され、
該入賞装置内には遊技球が入って停留した後、該特定入賞口に入賞させるための特定入賞口用停留部が設けられ、該入賞装置の該停留部及び該特定入賞口用停留部には各々停留用ストッパが設けられ、該各々の停留用ストッパは、該入賞装置の入賞口に設けた電動羽根が開放状態のとき、１台の電磁ソレノイドの作動により、遊技球の停留を可能な状態となり、該電動羽根が閉じたとき、該各停留用ストッパが非停留状態となって、該停留部の遊技球が排出されると共に該特定入賞口用停留部の遊技球が該特定入賞口に入賞する
（下線部は補正によって変更又は追加された箇所）　
　
２．補正要件（目的）の検討　
　請求項１についての補正は、発明を特定するために必要な事項である「入賞装置」について具体化（下位概念化）するものである。具体的には、「入賞装置」に設けられた「特定入賞口用停留部」、「停留用ストッパ」、「入賞口の電動羽根」の構成及び、これらの構成を用いた制御方法が特定されている、補正前の請求項２、３に記載された事項を付加したうえで、「遊技球の停留を可能な状態」にする具体的な手段としての「１台の電磁ソレノイド」の構成を付加して、補正したものであるから、請求の範囲の減縮を目的とする補正に相当する。　
　したがって、本件補正は、平成１８年法律第５５号による改正前の特許法（以下「改正前特許法」という。）第１７条の２第４項第２号に該当する。　
　　
３．補正要件（独立特許要件：特許法第２９条第２項）の検討　
（１）引用刊行物記載事項　
　原査定の拒絶の理由に引用された、特開２００３―１９０４６８号公報（以下「引用文献１」という。）には、図面とともに、　
【００２４】次に、図３を参照して、第１実施形態の遊技盤２２について説明する。図３に示すように、遊技盤２２には、中央に図柄表示装置３２を構成するＬＣＤパネルユニット（以下、「ＬＣＤ」という。）３２ａ、ＬＣＤ３２ａの左隣にはＬＣＤ３２ａに表示される図柄の変動開始に用いられる図柄作動口３３、ＬＣＤ３２ａの下方には権利獲得用役物３４、ＬＣＤ３２ａの右側には回転体３９、回転体３９の下方には開放時には開き扉を受口とする大入賞口４０、盤面最下部のアウト口４１、その他の各種入賞口、風車及び図示しない遊技釘等が備えられている。
【００２５】権利獲得用役物３４は、役物内入球口３５、ＬＣＤ３２ａで変動中の図柄が特定の図柄（例えば、「７７７」等の３桁同一の図柄）で揃い確定表示されることによって開放される権利発生口としての特定領域３６（Ｖゾーンともいう）、権利獲得用役物３４内から遊技盤２２へ遊技球を排出する排出口３７及び権利獲得用役物３４の中央には段差を設けて配置された４ヶ所の貯留可能部３８ａ〜３８ｄとを備えている。階段状に配置された貯留可能部３８ａ〜３８ｄは、左側上端部の役物内入球口３５側に配置された貯留可能部３８ａが最も上段に位置しており、以下、貯留可能部３８ｂ、貯留可能部３８ｃ、貯留可能部３８ｄと右側に行くにつれ徐々に下がっていき、最後の貯留可能部３８ｄは特定領域３６の左側に隣接している。また、貯留可能部３８ａ〜３８ｄは可動式の凹部材が連設されたものであり、それぞれ遊技球１個を乗せることが可能な程度の大きさである。貯留可能部３８ａ〜３８ｄは、図示した例に限らず、種々の形状及び配置が可能であり、数も４ヶ所に限られない。役物内入球口３５から権利獲得用役物３４内に入球した遊技球は、特定領域３６に入賞（以下、単にＶ入賞ということもある）した遊技球以外は、貯留可能部３８ａ〜３８ｄにて一時的に貯留された遊技球も含めて、排出口３７から遊技盤２２上に排出され、アウト口４１から遊技盤２２内に取り込まれる構成である。
【００３１】・・・通常は手前上段の貯留可能部３８ａから順番に貯留可能部３８ｂ、貯留可能部３８ｃ、貯留可能部３８ｄと貯留されていくことが多い。しかし、稀に入球した遊技球の勢いや権利獲得用役物３４への入球角度によっては、貯留可能部３８ａ〜３８ｄに衝突してはじかれたり飛び越えたりして、その他の貯留可能部（例えば貯留可能部３８ｄ等）から貯留されたり、そのまま排出口３７から排出される場合もある。このように、遊技球を貯留可能部３８ａ〜３８ｄに貯留させていき、所定数（ここでは４ヶ所）貯留させると特定領域３６へ到達する通過路が貯留された遊技球によって形成される。なお、通常の技量を有する遊技者であれば、全ての貯留可能部３８ａ〜３８ｄに貯留させることは可能であるが、稀に遊技者の技量の低さによっては全部を貯留することができない場合もある。現段階では特定領域３６はまだ閉鎖している状態なので、全ての貯留可能部３８ａ〜３８ｄに貯留された後に遊技球が権利獲得用役物３４内に入球した場合は、既に貯留されている遊技球の上を伝い、排出口３７から排出される（図６（ｂ）参照）。一方、後述するように、特定領域３６の開放時には、後から入球した遊技球は、この貯留された遊技球によって形成された通過路の上を伝いながら転がってＶ入賞する可能性がある。このように、貯留可能部３８ａ〜３８ｄに遊技球を貯留することにより、貯留のない基本状態から、遊技者は自ら遊技に有利な展開を創出することができる。
【００３３】図柄作動口３３を遊技球が通過すると（図７（ａ）参照）、主制御装置３０で乱数の抽選が行われ、その結果に基づきＬＣＤ３２ａで図柄が変動を開始する（図７（ｂ）参照）。変動中の図柄が予め定められた所定の図柄（例えば、「７７７」、「６６６」等の３桁同一の図柄）で揃い停止表示すると（図８（ａ）又は図８（ｂ）参照）、特定領域３６が所定時間又は所定回数開放され、Ｖ入賞が可能な状態となる。
【００４１】このように、貯留可能部３８ａ〜３８ｄには０〜４個の遊技球が貯留される可能性がある。ＬＣＤ３２ａに表示される図柄の種類等の所定条件により、全く貯留されないこともあるが、最大値まで貯留されることもある。なお、貯留数又は貯留場所は貯留可能部３８ａ〜３８ｄを予め解除状態にしておくことにより調節されるが、貯留可能部３８ａ〜３８ｄは可動式の凹部材であり、モータ等のアクチュエータ（図示略）で底面を退避させ遊技球が落下することにより貯留を解除するように構成される。
と記載されている。
　図３には、「権利獲得用役物３４」の「役物内入球口３５」が常時開口している点が図示されている。
　よって、摘記した上記の記載や図面等によれば、引用文献１には、　
「遊技盤２２の中央に備えられた図柄が変動するＬＣＤ３２ａと、変動中の図柄が予め定められた所定の図柄で揃い停止表示すると開放され、Ｖ入賞が可能な状態となる特定領域３６を備えている権利獲得用役物３４と、を備えたパチンコ機１０において、
　前記権利獲得用役物３４は、前記ＬＣＤ３２ａの下方に備えられ、役物内入球口３５が常時開口しており、前記権利獲得用役物３４内には、権利発生口としての前記特定領域３６、及び階段状に配置された４カ所の貯留可能部３８ａ〜３８ｄを備え、前記特定領域３６がまだ閉鎖している状態では、権利獲得用役物３４に入球した遊技球が、稀に入球した遊技球の勢いや権利獲得用役物３４への入球角度によっては、貯留可能部３８ａ〜３８ｄに衝突してはじかれたり飛び越えたりして、貯留可能部３８ｄ等から貯留されたり、そのまま排出口３７から排出され、全ての貯留可能部３８ａ〜３８ｄに貯留された後に遊技球が権利獲得用役物３４内に入球した場合は、既に貯留されている遊技球の上を伝い排出口３７から排出され、前記特定領域３６の開放時には、後から入球した遊技球はこの貯留された遊技球によって形成された通過路の上を伝いながら転がってＶ入賞する可能性があり、貯留可能部３８ａ〜３８ｄはモータ等で底面を退避させ貯留を解除する可動式の凹部材であり、ＬＣＤ３２ａに表示される図柄の種類等の所定条件により、全く貯留されないこともあるが、最大値まで貯留されることもあり、特定領域３６に入賞した遊技球以外は、貯留可能部３８ａ〜３８ｄにて一時的に貯留された遊技球も含めて排出されるパチンコ機１０。」　　
の発明（以下「引用発明」という。）が開示されていると認められる。　
　
（２）引用発明と本願補正発明との対比　
　そこで、本願補正発明と引用発明とを比較すると、　
引用発明の「遊技盤２２」は本願補正発明の「遊技盤」に相当し、以下同様に、　
「中央に備えられ」は「遊技領域に配置され」に、
「図柄が変動する」は「図柄を変動表示する」に、　
「ＬＣＤ３２ａ」は「図柄変動表示装置」に、
「権利獲得用役物３４」は「入賞装置」に、
「パチンコ機１０」は「パチンコ遊技機」に、
「特定領域３６」は「特定入賞口」に、
「備える」は「形成され」に、
「貯留」は「停留」に、
「階段状に配置され」は「直階段状に配置され」に、
「４カ所の貯留可能部３８ａ〜３８ｄ」は「複数の停留部」に、
「役物内入球口３５」は「入賞口」に、
「可動式の凹部材」は「停留用ストッパ」に、各々相当する。　
　さらに、引用文献１の記載等からみて、以下のことが言える。　
　　
ａ．引用発明においては、遊技球が権利獲得用役物３４に入球すると貯留可能部３８ａ〜３８ｄに貯留されたり、排出口３７から排出されたり、Ｖ入賞したりするから、引用発明は、本願補正発明の「遊技球を該特定入賞口に導入するか否かを振り分ける振分け通路」に相当するものが形成されているといえる。
ｂ．引用発明の「特定領域３６がまだ閉鎖している状態では、権利獲得用役物３４に入球した遊技球が、稀に入球した遊技球の勢いや権利獲得用役物３４への入球角度によっては、貯留可能部３８ａ〜３８ｄに衝突してはじかれたり飛び越えたりして、貯留可能部３８ｄ等から貯留されたり、そのまま排出口３７から排出され、全ての貯留可能部３８ａ〜３８ｄに貯留された後に遊技球が権利獲得用役物３４内に入球した場合は、既に貯留されている遊技球の上を伝い排出口３７から排出され」について検討すると、
　引用文献１には、特定領域３６の開放時に遊技球の貯留がない場合について記載されていないが、特定領域３６の開放状態によって貯留可能部３８ａ〜３８ｄでの遊技球の動きが変わることはないものと判断される。
　すなわち、「特定領域３６」が開放され、遊技球がＶ入賞可能な場合には、「貯留可能部３８ａ〜３８ｄ」に遊技球の貯留がない場合であっても「特定領域３６」にＶ入賞可能となるように設計されているものと認められる。
　以上総合すると、引用発明と、本願補正発明は、「該振分け通路は該停留部に遊技球の停留がない場合でも該特定入賞口への入賞が可能となるように形成され」るという点で一致している。
ｃ．引用発明の「貯留可能部３８ａ〜３８ｄ」が「階段状に配置され」た点について
　引用文献１には「遊技球を貯留可能部３８ａ〜３８ｄに貯留させていき、所定数（ここでは４ヶ所）貯留させると特定領域３６へ到達する通過路が貯留された遊技球によって形成される。・・・特定領域３６の開放時には、後から入球した遊技球は、この貯留された遊技球によって形成された通過路の上を伝いながら転がってＶ入賞する可能性がある。このように、貯留可能部３８ａ〜３８ｄに遊技球を貯留することにより、貯留のない基本状態から、遊技者は自ら遊技に有利な展開を創出することができる。」（段落【００３１】）との記載があり、この記載における「遊技者は自ら遊技に有利な展開を創出することができる」とは、「遊技球を貯留可能部３８ａ〜３８ｄに貯留させて特定領域３６へのＶ入賞の可能性を高くする」ことに他ならない。
　よって、引用発明と、本願補正発明は、「遊技球を停留させて該特定入賞口への入賞の可能性を高くする複数の停留部が該振分け通路に直階段状に配設され」た点で一致している。
ｄ．引用発明の「貯留可能部３８ａ〜３８ｄにて一時的に貯留された遊技球は排出口３７から排出されるように形成された」について
　「可動式の凹部材」は本願補正発明の「停留用ストッパ」に相当し、引用発明のモータ等と本願補正発明の「電磁ソレノイド」は、いずれもアクチュエータといえるから、引用発明と、本願補正発明は、「入賞装置の該停留部には停留用ストッパが設けられ、アクチュエータの作動により遊技球の停留を可能な状態とな」る点で一致している。
　
　そうすると両者は、　
「遊技盤上の遊技領域に配置され、図柄を変動表示する図柄変動表示装置を備えたパチンコ遊技機において、
　入賞装置内には特定入賞口が形成されると共に、遊技球を該特定入賞口に導入するか否かを振り分ける振分け通路が形成され、遊技球を停留させて該特定入賞口への入賞の可能性を高くする複数の停留部が該振分け通路に直階段状に配設され、該振分け通路は該停留部に遊技球の停留がない場合でも該特定入賞口への入賞が可能となるように形成され、該入賞装置の該停留部にはアクチュエータの作動により、遊技球の停留を可能な状態となる停留用ストッパが設けられたパチンコ遊技機。」の点で一致し、以下の点で相違している。　
　
［相違点１］「該図柄変動表示装置の変動図柄が予め決められた図柄に揃って停止したときに開放される」のが、本願補正発明は、「入賞装置」であり、該入賞装置の入賞口に電動羽根が設けられているのに対し、引用発明では、「権利獲得用役物３４」内にある「特定領域３６」であり、「権利獲得用役物３４の役物内入球口３５」は常時開口している点。
［相違点２］本願補正発明は、「前記入賞装置は縦に細長く形成されると共に、遊技領域内の左側または右側の端部に沿って配設され」ているのに対し、引用発明は、「権利獲得用役物３４」の形状について、縦に細長く形成されておらず、さらに、「権利獲得用役物３４」の配置位置が、遊技盤２２上の中央に備えられたＬＣＤ３２ａの下方である点。
［相違点３］本願補正発明には、「該入賞装置内には遊技球が入って停留した後、該特定入賞口に入賞させるための特定入賞口用停留部が設けられ、該入賞装置の該特定入賞口用停留部には停留用ストッパが設けられ」ているのに対し、引用発明には、「特定領域３６」に「特定入賞口用停留部」に相当する構成が設けられていない点
［相違点４］本願補正発明は、「該入賞装置の該停留部及び該特定入賞口用停留部には各々停留用ストッパが設けられ、該各々の停留用ストッパは、該入賞装置の入賞口に設けた電動羽根が開放状態のとき、１台の電磁ソレノイドの作動により、遊技球の停留を可能な状態となり、該電動羽根が閉じたとき、該各停留用ストッパが非停留状態となって、該停留部の遊技球が排出されると共に該特定入賞口用停留部の遊技球が該特定入賞口に入賞する」のに対し、引用発明は、上記［相違点３］で指摘した点に加えて、「アクチュエータ」が「モータ等」である点、「電動羽根」に相当する構成がない点、及び「可動式の凹部材」（本願補正発明の「停留用ストッパ」に相当）の状態の変化が本願補正発明とは異なる点。
　
（３）相違点の検討及び判断　
［相違点１について］
　原査定の拒絶の理由に引用された、特開平９―１７３５４０号公報（以下「引用文献２」という。）には、「図柄表示装置３の図柄が変動し、その後の停止図柄が予め設定された当り図柄のとき、チューリップ式の電動役物７が所定時間（例えば６秒）だけ開状態に作動する。この電動役物７の開状態中には複数の遊技球が入り込み、遊技球振分け装置１０の供給口１４から振分け部１２に供給される。」（段落【００３２】）と記載されている。　この記載から、引用文献２には、「図柄標示装置３の図柄が予め設定された停止図柄のときに、チューリップ式の電動役物７が開状態に作動し、複数の遊技球が入り込む遊技球振分け装置１０を備えた遊技機」の技術（以下「引用文献２の技術１」という。）が開示されているものと認められる。
  そして、引用文献２の技術１における「図柄標示装置３」は本願補正発明の「図柄変動表示装置」に相当し、同様に、
「設定された」は「決められた」に、
「停止図柄のときに」は「図柄に揃って停止したときに」に、
「チューリップ式の電動役物７」は「電動羽根」に、
「開状態に作動し複数の遊技球が入り込む」は「開放される」に、
「遊技球振分け装置１０」は「入賞装置」に、各々相当する。
　さらに、引用発明及び引用文献２の技術１は共に、図柄が揃って停止したときに開放される領域を備えた遊技機である点で共通しているので、引用発明の権利獲得用役物３４内の特定領域３６を開閉するものに代えて、引用文献２の技術１を採用し、役物内入球口３５にチューリップ式の電動役物７を設け、相違点１に係る本願補正発明の構成とすることは、パチンコ遊技機の分野における通常の知識を有する者（以下「当業者」という。）が容易に想到し得る事項である。
［相違点２について］　
　本願補正発明における「前記入賞装置は縦に細長く形成されると共に、遊技領域内の左側または右側の端部に沿って配設され」る点は、原査定の拒絶の理由に引用された、特開平６―３２７８１３号公報（特に、図１参照）、特開平７―１２４３１３号公報（特に、図２参照）、特開平７―１２４３１４号公報（特に、図２参照）に記載されているように周知の技術（以下「周知技術」という。）であるから、引用発明の「権利獲得用役物３４」に周知技術を適用することは、当業者にとって格別な困難性はない。
［相違点３、４について］
  相違点３、４は、関連するのであわせて検討する。
　引用文献２には、上記［相違点１について］で指摘した事項に加え、「電動役物７が開状態になってから所定時間経過した後、電動役物７は閉状態になる。これと同じタイミングでシャッタ駆動体４６のソレノイド４７が励起される。すると、プランジャ４８は下方位置（図７（ａ）参照）から上方位置（図７（ｂ）参照）に移動し、シャッタ４１の第１及び第２先端部４２、４３は第１及び第２連通口１９、２３を遊技球が通過するのを許容する。すると、第１貯留部１８に貯留していた３個の遊技球は普通領域３２に誘導され（図２の黒い矢印参照）、第２貯留部に貯留していた１個の遊技球は特定領域３３に誘導される（図２の点線の矢印参照）。ここで、特定領域３３に誘導された遊技球は、図２に示す円孔３８を通過後（又は通過前）、図示しない大当りセンサにより検出される。この大当りセンサの検出信号により、大当り権利が発生する。」（段落【００３４】）との記載及び、「振分け部１２に供給される遊技球のうち１個目〜３個目は、図６（ａ）に示すように、誘導部１６の存在により振分け部１２の頂点１２ａから裾１２ｂ側（第１貯留部１８側）にずれた位置に当たるため、そのまま落下して第１貯留部１８に貯留される。一方、４個目は、図６（ｂ）に示すように、誘導部１６により振分け部１２の頂点１２ａから第１貯留部１８側にずれた位置に当たろうとするが、既に第１貯留部１８は貯留可能な個数（３個）を有しているため、第１貯留部１８側に行くことができず、振分け部１２の他方の裾１２ｃ側に誘導され、そのまま落下して第２貯留部２０にて堰２１に支持されて貯留される。・・・」（段落【００３３】）との記載がある。
　また、引用文献２における、「シャッタ４１は、上から見た形状が略コ字状であり、第１及び第２先端部４２、４３を備えている。・・・」（段落【００３０】）記載及び、「シャッタ駆動体４６は、ソレノイド４７とプランジャ４８から成り、起立部材３４の背面側にてプランジャ４８が下向きになるように固定されている。図４に示すように、プランジャ４８の先端にはリング４９が固着され、このリング４９がシャッタ４１のレール溝４５に嵌め込まれ、両者が一体化されている。プランジャ４８はバネ５０を嵌挿しており、このため通常はバネ５０に付勢されて下方位置（図４の実線参照）に位置決めされている。このとき、第１及び第２先端部４２、４３は第１及び第２連通口１９、２３を遊技球が通過するのを阻止する（図３参照）。また、このプランジャ４８はソレノイド４７が励磁されるとバネ５０の付勢に抗して上方位置（図４の２点鎖線参照）に位置決めされる。このとき、第１及び第２先端部４２、４３は第１及び第２連通口１９、２３を遊技球が通過するのを許容する。」（段落【００３１】）の記載から、１台の「ソレノイド４７」の作動によって、「第１先端部４２」、「第２先端部４３」とを駆動し、「第１貯留部１８」、「第２貯留部２０」のそれぞれの貯留状態又は非貯留状態を形成していることが開示されているものと認められる。
　よって、引用文献２には、
「遊技球の通過によって大当たり権利が発生する円孔３８に、遊技球が誘導されるか否かを振り分ける振分け部１２が形成され、遊技球を貯留させて前記円孔３８への通過の可能性を高くする複数の遊技球を貯留可能な第１貯留部１８が前記振分け部１２に配設され、遊技球振分け装置１０内には遊技球が入って貯留した後、前記円孔３８に通過させるための第２貯留部が設けられ、前記第１貯留部１８及び前記第２貯留部２０には各々第１先端部４２と、第２先端部４３が設けられ、該各々の第１先端部４２と第２先端部４３は、前記遊技球振分け装置１０の供給口１４に設けた電動役物７が開状態のとき、遊技球の貯留を可能な状態となり、前記電動役物７が閉状態のとき、１台のソレノイド４７の励起により、前記第１先端部４１が非貯留状態となって、前記第１貯留部１８の遊技球が排出されると共に前記第２貯留部の遊技球が前記円孔３８を通過すると大当たり権利が発生する遊技機」の技術（以下「引用文献２の技術２」という。）が開示されているものと認められる。
　そして、引用文献２の技術２における「大当たり権利が発生する円孔３８」は本願補正発明の「特定入賞口」に相当し、同様に、
「貯留」は「停留」に、
「第２貯留部２０」は「特定入賞口用停留部」に、
「第１先端部４２」、「第２先端部４３」は、「各々の停留ストッパ」に、各々相当する。
　また、「第１貯留部１８」は、「停留部が振分け通路に配設され」ている点で本願補正発明の「複数の停留部」と共通し、かつ「遊技球を停留させて該特定入賞口への入賞の可能性を高くする」という本願補正発明の「複数の停留部」と共通の機能を有する。「振分け部１２」は、本願補正発明の「遊技球を特定入賞口に導入するか否かを振り分ける振分け通路」と共通の機能を有する。「ソレノイド４７」の「励起」を行うタイミングは別として、「ソレノイド４７」が作動するか否かの切替えによる「遊技球振分け装置１０」内の制御は、本願補正発明の「電動羽根が開放状態のとき、遊技球の停留を可能な状態となり、該電動羽根が閉じたとき、該各停留用ストッパが非停留状態となって、該停留部の遊技球が排出されると共に該特定入賞口用停留部の遊技球が該特定入賞口に入賞する」点で共通している。
　
　さらに、引用発明及び引用文献２の技術２は共に、図柄が揃って停止したときに、入賞装置の一部が開口して、該開口から遊技球を特定入賞口に入賞させる点、及び、入賞装置内に特定入賞口への入賞の可能性を高くする停留部を設け、遊技状態に応じて停留、非停留状態とする点で共通しているので、引用文献２の技術１における「電動役物７」を引用発明の「役物内入球口３５」に設ける際に、引用文献２の技術２を併せて適用し、引用発明の「特定領域３６」にも遊技状態に応じて遊技球を貯留可能とすること、及び、「電動役物７」が開状態のとき遊技球の貯留を可能な状態とし、「電動役物７」が閉状態のとき遊技球の貯留をしない状態として、「貯留可能部３８ａ〜３８ｄ」の遊技球を排出させると共に、「特定領域３６」に貯留された遊技球をＶ入賞させることは、当業者にとって容易に想到しうることである。
　また、引用文献２の技術２のように「ソレノイド４７」の励起（作動）により非貯留状態とするか、本願補正発明のようにソレノイドの作動により遊技球の停留を可能な状態とするかは、当業者にとって単なる選択的事項にすぎない。
　よって、引用発明に引用文献２の技術１及び２を適用して、相違点３、４に係る本願補正発明の構成とすることは当業者が容易に想到し得る事項である。　
　
　さらに、本願補正発明の作用効果も、引用発明、引用文献２の技術１、２及び周知技術に基づき、当業者が予測できる範囲のものである。　
　
　したがって、本願補正発明は、引用発明、引用文献２の技術１、２及び周知技術に基づいて、当業者が容易に発明をすることができたものであるから、特許法第２９条第２項の規定により特許出願の際独立して特許を受けることができないものである。　
　
４．むすび　
　以上のとおりであるので、本件補正は、改正前特許法第１７条の２第５項において準用する同法第１２６条第５項の規定に違反し、同法第１５９条第１項において読み替えて準用する同法５３条第１項の規定により却下されるべきものである。　
　
第三．本願発明について　
１．本願発明　
　平成１９年６月６日付の手続補正書は上記のとおり却下されたので、本願の請求項１に係る発明（以下「本願発明」という。）は、同年３月６日付手続補正書の特許請求の範囲の請求項１に記載された事項により特定される。以下のとおりのものである。
「遊技盤上の遊技領域に配置され、図柄を変動表示する図柄変動表示装置と、該図柄変動表示装置の変動図柄が予め決められた図柄に揃って停止したときに開放される入賞装置と
、を備えたパチンコ遊技機において、
　前記入賞装置は縦に細長く形成されると共に、遊技領域内の左側または右側の端部に沿って配設され、該入賞装置内には特定入賞口が形成されると共に、遊技球を該特定入賞口に導入するか否かを振り分ける振分け通路が形成され、遊技球を停留させて該特定入賞口への入賞の可能性を高くする複数の停留部が該振分け通路に直階段状に配設され、該振分け通路は該停留部に遊技球の停留がない場合でも該特定入賞口への入賞が可能となるように形成されていることを特徴とするパチンコ遊技機。」　
　
２．特許法第２９条第２項の検討　
（１）引用刊行物記載事項　
　原査定の拒絶の理由に引用された引用文献１及び記載事項は、前記「第二．３．（１）」に記載したとおりである。　
　
（２）引用発明と本願発明との対比　
　本願発明は、前記「第二」で検討した本願補正発明の「入賞装置」の内部形状について、「特定入賞口用停留部」、「停留用ストッパ」、「電動羽根」、「電磁ソレノイド」の構成がなくなり、本願補正発明の「入賞装置」を上位概念化とするとともに簡略化するものである。
　そうすると、本願発明の構成要件の一部を下位概念化するとともに複雑化したものに相当する本願補正発明が、前記「第二．３．（３）」に記載したとおり、引用発明、引用文献２及び、周知技術に基づいて、当業者が容易に発明をすることができたものであるから、本願発明も、同様の理由により、引用発明、引用文献２の技術１、２及び周知技術に基づいて、当業者が容易に発明をすることができたものである。　
　
（３）まとめ　
　以上のとおり、本願発明は、引用発明、引用文献２の技術１、２及び周知技術に基づいて、当業者が容易に発明をすることができたものであるから、特許法第２９条第２項の規定により特許を受けることができない。　
　
３．むすび　
　本願発明は、特許法第２９条第２項の規定により特許を受けることができないから、他の請求項に係る発明については検討するまでもなく、本願は拒絶すべきものである。　
　
　よって、結論のとおり審決する。